(57)【要約】      （修正有）【課題】ガンサイト・レチクル（射撃照準器焦点板）、特に弾丸降下補正に備えたガンサイト・レチクルを提供する。【解決手段】ガンサイト・レチクルは、中心照準点５２の垂直下方に配置されたＢＤＣ照準マーク５４〜６０を含む。特定の銃、特定のタイプの弾丸および温度、湿度、高度のような環境条件といった要因を補正するために、中心照準点５２に関してＢＤＣ照準マーク５４〜６０が調整可能となっている。射手は、ＢＤＣ照準マーク５４〜６０を調整し、ＢＤＣ照準マーク５４〜６０が種々の距離の離れている標的のための正しい照準位置により正確に対応させることができる。【選択図】図３
2009174845.tif 000002
【特許請求の範囲】
【請求項１】
中心水平直線ヘアラインと、
実質的に前記中心水平直線ヘアラインの中心に配置された中心照準マークと、
前記中心水平直線ヘアラインの垂直下方に配置された複数の調整可能な照準マークと、
を備えるガンサイト・レチクル。
【請求項２】
前記複数の調整可能な照準マークは可動である、請求項１に記載のガンサイト・レチクル。
【請求項３】
前記複数の可動照準マークは実質的に一直線の垂直線に配置される、請求項２に記載のガンサイト・レチクル。
【請求項４】
前記複数の可動照準マークは前記中心照準マークの直ぐ下に配置される、請求項２に記載のガンサイト・レチクル。
【請求項５】
前記複数の可動照準マークは前記中心照準マークの直ぐ下に、実質的に一直線の垂直線に配置される、請求項４に記載のガンサイト・レチクル。
【請求項６】
前記複数の可動照準マークは個別に動き得る、請求項２に記載のガンサイト・レチクル。
【請求項７】
前記可動照準マークの各々は前記可動照準マークの相反する側から延びていて、前記可動照準マークと共に動く、対応する水平偏流補正線を含む、請求項２に記載のガンサイト・レチクル。
【請求項８】
前記偏流補正線の各々はその長さに沿って間隔をあけた罫線を有する、請求項７に記載のガンサイト・レチクル。
【請求項９】
前記可動照準マークの各々は対応する照準領域を囲むしるしを含む、請求項２に記載のガンサイト・レチクル。
【請求項１０】
前記可動照準マークの各々は照準マーク画定部分を有する可動部材を含む、請求項２に記載のガンサイト・レチクル。
【請求項１１】
前記複数の可動照準マークは垂直方向に可動である、請求項２に記載のガンサイト・レチクル。
【請求項１２】
前記複数の可動照準マークは垂直方向に可動である、請求項５に記載のガンサイト・レチクル。
【請求項１３】
前記複数の可動照準マークは垂直方向に可動である、請求項６に記載のガンサイト・レチクル。
【請求項１４】
前記複数の可動照準マークは垂直方向に可動である、請求項８に記載のガンサイト・レチクル。
【請求項１５】
前記複数の可動照準マークは垂直方向に可動である、請求項１０に記載のガンサイト・レチクル。
【請求項１６】
前記複数の調整可能な照準マークは複数の個別に選択可能な発光素子である、請求項１に記載のガンサイト・レチクル。
【請求項１７】
標的までの距離に基づいて前記複数の発光素子の１つを選択する回路であって、特定の標的距離によって選択されるべきである前記発光素子が変えられることを可能にする回路を更に備える、請求項１６に記載のガンサイト・レチクル。
【請求項１８】
前記回路は標的までの距離と弾丸タイプとに基づいて前記複数の発光素子の１つを選択する、請求項１７に記載のガンサイト・レチクル。
【請求項１９】
弾丸タイプに基づいて前記複数の発光素子の少なくとも１つを選択する回路を更に備える、請求項１６に記載のガンサイト・レチクル。
【請求項２０】
ハウジングと、
前記ハウジングの第１の端部の近く配置された対物レンズと、
前記ハウジングの第２の端部の近く配置された接眼レンズと、
前記対物レンズと前記接眼レンズとの間で前記ハウジング内に配置された請求項１に記載のガンサイト・レチクルと、を備える望遠ガンサイト・レチクル。
【請求項２１】
ハウジングと、
前記ハウジングの第１の端部の近く配置された対物レンズと、
前記ハウジングの第２の端部の近く配置された接眼レンズと、
前記対物レンズと前記接眼レンズとの間で前記ハウジング内に配置されたガンサイト・レチクルと、
を備える望遠ガンサイトであって、
前記ガンサイト・レチクルは、
中心水平直線ヘアラインと、
実質的に前記中心水平直線ヘアラインの中心に配置された中心照準マークと、
前記中心水平直線ヘアラインの垂直下方に配置された複数の調整可能な照準マークと、
前記ハウジング上に配置され、前記調整可能な照準マークを調整するためにユーザ操作可能である調整機構と、
を備える、望遠ガンサイト。
【発明の詳細な説明】
【技術分野】
【０００１】
本発明は、ガンサイト・レチクル（射撃照準器焦点板）に関し、特に弾丸降下補正に備えたガンサイト・レチクルに関する。
【０００２】
ライフル銃（ｒｉｆｌｅ）といった長距離銃と、前装銃（ｓｈｏｒｔｅｒ−ｒａｎｇｅ  ｇｕｎ）（マズルローダー（ｍｕｚｚｌｅ−ｌｏａｄｅｒ））および散弾銃（ｓｈｏｔｇｕｎ）といった短距離銃のためにガンサイト（ｇｕｎ  ｓｉｇｈｔ）、特に望遠ガンサイト（「スコープ（ｓｃｏｐｅ）」とも呼ばれる）を使用することは一般的である。いずれのタイプの銃でも発射体は、概ね放物線の軌道に追従する。特定の軌道は、銃と発射体の両者に依存する。経験豊かな射手は、標的を狙うときに発射体軌道と標的までの距離とを考慮しなくてはならないことを知っている。標的までの距離に依存して、意図された標的に発射体が命中するように標的の上を狙う必要があるかもしれない。
【０００３】
射手を助けるために、レチクルの中心に照準点を形成する中心水平ヘアラインと中心垂直ヘアラインによって形成される中心照準点に加えて照準点（「照準マーク（ｓｉｇｈｔ  ｍａｒｋ）」とも呼ばれる）を有するガンサイトを設けることが知られている。典型的に、弾丸降下補正（ｂｕｌｌｅｔ  ｄｒｏｐ  ｃｏｍｐｅｎｓａｔｉｏｎ）レチクルとして知られるこれら従来のレチクルは、中心照準点の下方の予め決められた距離に位置する複数の交差へアラインによって形成される複数の照準点を有する。これらの弾丸降下補正レチクルは、中心水平ヘアラインの下方の指定された距離に追加の水平ヘアラインを備え、追加の水平ヘアラインが中心垂直ヘアラインと交差する追加の照準点を形成する。例えば、米国特許第５，９２０，９９５号明細書と米国特許第６，５９１，５３７号明細書を参照される。米国特許第５，９２０，９９５号明細書と米国特許第６，５９１，５３７号明細書の開示内容は、それらの全体が参照としてここに組み込まれる。
【０００４】
「Ｇｕｎ  Ｓｉｇｈｔ  Ｒｅｔｉｃｌｅ  Ｈａｖｉｎｇ  Ｏｐｅｎ  Ｓｉｇｈｔｉｎｇ  Ａｒｅａ  ｆｏｒ  Ｂｕｌｌｅｔ  Ｄｒｏｐ  Ｃｏｍｐｅｎｓａｔｉｏｎ」（弾丸降下補正のための開放照準領域を有するガンサイト・レチクル）と題する米国特許第７，１７１，７７５号明細書は、弾丸降下補正照準点が開放領域、例えばしるしによって囲まれた円形領域によって画定されるレチクルを開示している。開放照準領域は、照準点にしるし（マーキング）が存在せず、それによって射手には標的がよく見えるので有利である。開放照準領域は、上記の２つの特許の十字線タイプの弾丸降下補正照準点のように中心照準点の下方の固定位置に配置される。米国特許第７，１７１，７７５号の開示内容は、その全体が参照としてここに組み込まれる。
【０００５】
弾丸降下補正レチクルを備えたスコープを有する銃を使用する前に、射手は典型的にはスコープを調整する。特にスコープは、スコープの垂直および水平位置を調整するための調整機構を含んでいる。これらの調整機構は、レチクルの中心照準点が標的に位置合わせされるときに、銃から発射される発射体が既知の距離（例えば１００ヤードまたは２００ヤード）にある標的に命中するように調整される。このプロセスは「較正（ｃａｌｉｂｒａｔｉｏｎ」プロセスとみなされる。弾丸降下補正照準点は、中心照準点の垂直下方の固定位置に配置される。例えば第１の弾丸降下補正（ｂｕｌｌｅｔ  ｄｒｏｐ  ｃｏｍｐｅｎｓａｔｉｏｎ；ＢＤＣ）照準点は中心照準点の直ぐ下の第１の予め決められた距離に配置され、第２のＢＤＣ照準点はこの第２のＢＤＣ照準点が第１のＢＤＣ照準点の直ぐ下にあるように中心照準点から第２の予め決められた距離（第１の予め決められた距離より長い）だけ下方に配置される、などである。このようにしてスコープが較正された後に射手は、射手から第１の距離（例えば３００ヤード）にある標的に第１のＢＤＣ照準点を位置決めでき、射手から第２の、より遠い距離（例えば４００ヤード）にある標的に第２のＢＤＣ照準点を位置決めできる、等々である。
【特許文献１】米国特許第５，９２０，９９５号明細書
【特許文献２】米国特許第６，５９１，５３７号明細書
【特許文献３】米国特許第７，１７１，７７５号明細書
【発明の開示】
【発明が解決しようとする課題】
【０００６】
しかしながら発射体の飛行は多くの要因によって影響されるので、中心照準点の下方に固定位置を有するＢＤＣ照準点は、中心照準点を使用してスコープが較正された後でも、所定の距離にある標的に関する正しい照準点を単に近似できたものに過ぎない。例えば、各銃と各タイプの発射体は、それ自身の発射体飛行特性を有する。更に高度、温度および湿度といった環境要因が弾丸の軌道に影響を与える。したがって、典型的には、熟練した射手は、射手からの種々の距離に位置する標的に関して正しい照準点が何処に存在するかを自分の銃での経験を通して学習するであろう。
【課題を解決するための手段】
【０００７】
本発明の態様によればガンサイト・レチクルは、中心照準マークの垂直下方に配置された複数の調整可能な照準マークを含む。射手は、ＢＤＣ照準マークの位置を調整し、ＢＤＣ照準マークが種々の距離の離れている標的のための正しい照準位置により正確に対応させることができる。
【０００８】
好適な実施形態によれば調整可能な照準マークは、中心照準マークの直ぐ下に配置された実質的に一直線の垂直線に並べられた可動照準マークであって、これらの照準マークは個別に動き得る。例えば、ガンサイト・レチクルを有するスコープはＢＤＣ照準マークの各々のために１つの調整機構を有するタレット（ｔｕｒｒｅｔ）を含むことができる。よって、射手は、対応する調整機構を使用して照準マークを動かすことによってＢＤＣ照準マークの垂直位置を調整できる。
【０００９】
好適な実施形態によればこれらの可動照準マークの各々は、可動照準マークの相反する側から延びていて、可動照準マークと共に動く、対応する水平偏流補正線（ｈｏｒｉｚｏｎｔａｌ  ｗｉｎｄａｇｅ−ｃｏｍｐｅｎｓａｔｉｏｎ  ｌｉｎｅ）を含む。好適にはこれら水平偏流補正線の各々は、その長さに沿って間隔をあけた罫線を有する。
【００１０】
ある幾つかの実施形態によれば可動照準マークは、対応する照準領域を囲むしるしを含む。例えばこのしるしは、射手の標的の視界を妨げる如何なるしるし（ヘアラインといった）もなしに、射手が標的を見ることができるように円の形であることが可能である。好適な実施形態によれば、しるしは円の形である。
【００１１】
調整可能な照準マークは種々の構造によって画定され得る。一実施形態によれば調整可能な照準マークの各々は、照準マーク画定部分を有する可動部材を含む可動照準マークである。もう１つの実施形態によれば調整可能な照準マークは、複数の発光素子を含んでおり、ユーザは特定の標的距離および／または弾丸タイプに関して発光素子のどれが起動されるべきであるかを選択することによって装置を調整する。
【００１２】
典型的には、ガンサイト・レチクルは、ハウジングとこのハウジングの第１の端部の近くに配置された対物レンズとハウジングの第２の端部の近くに配置された接眼レンズとを有する望遠ガンサイトの一部である。このガンサイト・レチクルは対物レンズと接眼レンズとの間でハウジング内に配置される。
【発明を実施するための最良の形態】
【００１３】
本発明は、同様な参照数字が同様の要素を示す例示的実施形態の図面に関連して説明される。
【００１４】
図１、２に示されるように、本発明が適用される望遠ガンサイト１０が適当な取付け具（マウント）３５によってライフル銃１２に取り付けられて示されている。ガンサイト１０は、前方に配置された対物レンズ要素１３、後方に配置された接眼レンズ要素またはアイピースレンズ要素１４、介在する正立レンズ要素１５、および対物レンズ要素１３と正立レンズ要素１５との間に配置されたレチクル４０を収容する管状ハウジング１１によって形成される。可変焦点距離スコープあるいはズームスコープの場合、位置的に調整可能な拡大レンズ１７が正立レンズ要素１５に結び付けられる。ハウジング１１の外側は、焦点、拡大率、偏流および仰角を調整するために回転的に可動の特徴要素（例えば、回転可能なノブ）を装備し得る。図示の実施形態では、第１のノブ３６Ａはスコープ１０の左右、つまり水平位置を調整するために使用され、第２のノブ３６Ｂはスコープ１０の上下、つまり垂直位置を調整するために使用され、そして以下に、より詳細に説明される調整特徴要素３８Ａ〜３８Ｄの第３のセットは各ＢＤＣ照準マークの垂直位置を調整するために使用される。これら種々のレンズ要素は、単一レンズまたはレンズグループであり得る。
【００１５】
レチクル４０は、スコープ１０の照準器１８の光軸または光学ラインに直交する関係で、ハウジング１１内に取り付けられた円形で平面状の透明パネルあるいはディスク（円板）である。レチクル４０は、ハウジング内の光学系の前方焦点面であると考えられる位置で対物レンズ要素１３と正立レンズ要素１５との間に位置決めされる。レチクル４０は、以下に説明される微細線、つまりヘアラインのしるしを含む。
【００１６】
図３に示されるように本発明が適用され得る１つのレチクル４０ａは、中心照準点５２において互いに直角に交差する中心水平直線ヘアライン４４と中心垂直直線ヘアライン４２とを含む。中心水平ヘアライン４４の下に配置された中心垂直ヘアライン４２の部分４６は、複数のＢＤＣ照準マーク５４、５６、５８、６０を含む。第１の照準マーク５４は中心照準点５２の下方で最も近くに配置される。第２の照準マーク５６は第１の照準マーク５４の下に配置される。第３の照準マーク５８は第２の照準マーク５６の下に配置される。第４の照準マーク６０は第３の照準マーク５８の下に配置される。ＢＤＣ照準マーク５４〜６０の各々は、以下に説明されるように垂直方向に動き得る。
【００１７】
前述のように、ユーザは典型的に、中心照準点５２が既知の距離の標的にセットされるときに弾丸がこの標的に命中するように中心照準点５２を較正する。例えば、ノブ３６Ａ、３６Ｂを調整することによりスコープ１０の補正的調整を行いながら一連の発砲をすることによって、射撃システム（銃、特定の弾丸のタイプおよびガンサイト）は、交差したヘアライン４２、４４（すなわち中心照準点５２）の標的上の位置が弾丸衝突点と一致するように「照準合わせ（ｚｅｒｏｅｄ−ｉｎ）」される。高性能ライフル銃といった長距離銃に関して、レチクルの中心照準点５２が照準時に標的上にセットされたときにライフル銃によって発射された弾丸が標的に命中するように、銃は２００ヤードにおいて照準合わせされることができる。前装銃（マズルローダー）または散弾銃といった短距離銃に関しては、焦点合わせ距離は１００ヤードであり得る。
【００１８】
周知のレチクルとは異なり、本発明の態様によるＢＤＣレチクルは、特定の銃、特定のタイプの弾丸および温度、湿度、高度のような環境条件といった要因を補正するために、中心照準点５２に関してＢＤＣ照準マーク５４〜６０が調整されることを可能にする。垂直方向に（例えば中心垂直ヘアライン４２の下側部分４６に沿って）動き得る調整可能なＢＤＣ照準マーク５４〜６０を設けることによって、ＢＤＣマークは中心照準点５２に関して前述したものと同様な仕方で「照準合わせ」されることもできる。ＢＤＣ照準マーク５４〜６０の各々を照準合わせするとき、標的はレチクルから順次に遠くなるように配置されるであろうことは無論である。例えば、もし中心照準点５２が２００ヤードで照準合わせされたならば、第１の照準マーク５４は３００ヤードに位置する標的に照準合わせされ、第２の照準マーク５６は４００ヤードに位置する標的に照準合わせされ、第３の照準マーク５８は５００ヤードに位置する標的に照準合わせされ、第４の照準マーク６０は６００ヤードに位置する標的に照準合わせされ得るであろう。
【００１９】
垂直方向に調整され得るＢＤＣ照準マークの種々の配置が可能である。図６は、本発明の第１の実施形態を示す。
【００２０】
図６のノブ３８Ａを回転させると、図３の第４の照準マーク６０が動く。特にノブ３８Ａを回転させることは、ノブ３８Ａに取り付けられたシャフト１３８を介してピニオン１０６を回転させる。ピニオン１０６は可動部材１００の歯１０４に係合しており、部材１００を上下方向に動かす。したがって照準マーク６０は任意の垂直位置に設定され得る。設定位置は、リーフスプリング（板ばね）１４０に係合しているシャフト１３８上の歯１３９によって維持される。部材１００はまた、図６において下方にバイアス力をかけているスプリング１４１に取り付けられている。これは、小さな歯車１０６と歯１０４との間の如何なるスラック（緩み）も除去する。これはまた、銃の発射による衝撃を受けた後にも照準マーク６０の位置を安定に保持する。
【００２１】
今度は第３の照準マーク５８の動きが説明される。ノブ３８Ｂは、雌ねじ１４３を回転させるシャフト１４２を回転させる。雌ねじ１４３を回転させることは、雌ねじ１４３に係合している雄ねじ１４４を上下方向に動かす。雄ねじ１４４は、可動部材１４６のアーム１４５に固定されており、可動部材１４６を上下方向に動かす。こうして照準マーク５８は、任意の所望の垂直位置に設定され得る。設定位置は、リーフスプリング１４８に係合するシャフト１４２上の歯１４７によって維持される。アーム１４５はまた、図６において上方にバイアス力をかけているスプリング１４９に取り付けられている。これは、雌ねじ１４３と雄ねじ１４４の間の如何なるスラック（緩み）も除去する。これはまた、銃の発射による衝撃を受けた後にも照準マーク５８の位置を安定に保持する。
【００２２】
照準マーク５６を動かすためにノブ３８Ｃが回され、これがシャフト１５０を回して雌ねじ１５１を回転させる。雌ねじ１５１を回転させることは、雌ねじ１５１に係合している雄ねじ１５２を上下方向に動かす。雄ねじ１５２は、可動部材１５４のアーム１５３に固定されており、可動部材１５４を上下方向に動かす。こうして照準マーク５６は、任意の所望の垂直位置に設定され得る。設定位置は、リーフスプリング１４８に係合するシャフト１５０上の歯１６３によって維持される。アーム１５３はまた、図６において上方にバイアス力をかけているスプリング１５５に取り付けられている。これは、雌ねじ１５１と雄ねじ１５２の間の如何なるスラック（緩み）も除去する。これはまた、銃の発射による衝撃を受けた後にも照準マーク５６の位置を安定に保持する。
【００２３】
第１の照準マーク５４を動かすためにノブ３８Ｄが回され、これがシャフト１５６とピニオン１５７とを回転させる。ピニオン１５７は可動部材１５９上の歯１５８に係合しており、部材１５９を上下方向に動かす。したがって照準マーク５４は任意の所望の垂直位置に設定され得る。設定位置は、リーフスプリング１６２に係合しているシャフト１５６上の歯１６１によって維持される。部材１５９はまた、図６において下方にバイアス力をかけているスプリング１６０に取り付けられている。これは、小さな歯車１５７と歯１５９との間の如何なるスラック（緩み）も除去する。これはまた、銃の発射による衝撃を受けた後にも照準マーク５４の位置を安定に保持する。
【００２４】
図６の中心のレチクル４０は固定されており、可動ではない。この実施形態ではレチクル４０は第１の焦点面に位置決めされているが、レチクル４０を第２の焦点面に、すなわち図２のレンズ１４の前方のレンズ１５、１７の背後に位置決めすることも可能である。
【００２５】
図４は、本発明が適用されたレチクル４０ｂのもう１つの実施形態を示す。図４の実施形態では各ＢＤＣ照準マークは開放照準領域であって（中実マーク（ｓｏｌｉｄ  ｍａｒｋ）の代わりに）、各ＢＤＣ照準マークはまた、罫線７２を有する偏流線７０を含む。特に、照準マークの各々は、円の形をしたしるしによって囲まれた開放照準領域である。それにしたがって開放照準領域５４ａ、５６ａ、５８ａ、６０ａが設けられている。図３の実施形態とは異なり、中心垂直ヘアライン４２は、中心水平ヘアライン４４の下方に配置される部分を含まない。開放照準領域５４ａ〜６０ａの位置を垂直方向に調整するための構造は、図３に関して説明されたものと同じである。
【００２６】
今度は電子的実施形態が説明されるであろう。この実施形態は、弾丸降下補正での使用のために、物理的に可動の照準マークの代わりに電子的に実現される照準マークを使用する。この実施形態では複数の弾丸降下補正照準マークのうちの１つが、標的までの距離と、弾丸タイプといった他の要因、および／または高度、温度および湿度といった環境要因とに基づいて起動され得る。
【００２７】
図９は、この実施形態を実現するレチクル２４０を示す。レチクル２４０は、前述のヘアライン４４に類似する中心水平直線ヘアライン２４４と前述のヘアライン４２に類似する中心垂直直線ヘアライン２４２とを含む。ヘアライン２４２、２４４は中心照準点２５２において交差する。中心垂直直線ヘアライン２４２の下側部分２４６には、複数の弾丸降下補正照準マーク２５６ａ〜ｘが設けられている。図９は５個の弾丸降下補正照準マークを示しているが、典型的には５個より多い選択可能な照準マークが設けられるであろう。設けられるマークの数が多いほど、弾丸降下補正照準マークに高い調整可能性が与えられる。
【００２８】
図７〜９に関連した電子的実施形態では複数の照準マーク２５６ａ〜ｘのうちの１つ以上が、特定の距離に関する照準マークとして機能するように選択的に起動され得る。例えば、機械的実施形態に関して前に説明されたことに類似する較正手順を使用して、ユーザは、例えば現在の大気条件下で特定の距離と弾丸タイプとに関して照準マーク２５６ａ〜ｘのどれが適当であるかを決定し、将来の使用するこの弾丸に関するマークを選択できる。この較正手順を使用してユーザは、ある特定の弾丸と、異なる距離（例えば１００ヤード、２００ヤード、３００ヤード、４００ヤード）とに関してマーク２５６ａ〜ｘのうちの複数の異なるマークを選択し、これらの選択されたマークをメモリに記憶できるで。それからスコープを使用するとき、ユーザは、予め選択されたマークがこの弾丸タイプに関して起動されるように（例えば発光するように）、スコープを起動できるであろう。ユーザは異なるタイプの弾丸のために異なるマークを予め選択でき、弾丸タイプを入力することによってマーク２５６ａ〜ｘから予め選択されたマークのセットがこの選択された弾丸タイプのために起動される。代替として、弾丸タイプと標的距離とのユーザ入力によって照準マーク２５６ａ〜ｘのうちの１つだけが起動され得るであろう。標的距離の入力は、距離を選択するユーザによって、または距離計が特定の標的までの決められた距離を自動的に入力するスコープに含まれる距離計によって行われ得るであろう。
【００２９】
これら複数の照準マーク２５６ａ〜ｘは、いくつの異なる構造物によっても備えられ得る。一例によれば、中心垂直直線ヘアライン２４２の下側部分２４６を形成する金属層に複数の孔が設けられ、これらの孔の各々に１本の光ファイバの端部が配置され得る（各孔に１本の光ファイバが設けられ、これらの孔は垂直線に配置される）。孔によって画定された照準マークは、この孔に関連する光ファイバの入力端に光を供給することによって起動（照明）される。この構造の１つの利点は、孔が配置されていないヘアライン２４６の不透明部分の背後に光ファイバ（光ファイバの出力端部を除く）が隠され得ることである。更にヘアラインにおける孔は、ユーザが如何なる障害物もなしに標的を見ることを可能にする（図４の実施形態のような照準領域を与える）。光ファイバの出力端は、透明であるからユーザの視界を妨げない。
【００３０】
もう１つの実施形態によれば、弾丸降下補正照準マーク２５６ａ〜ｘを形成するために、垂直方向に配列された一連の、例えばＬＥＤまたはエレクトロルミネセント素子が設けられ得る。他の実現形態も可能である。
【００３１】
今度は、１つの弾丸降下補正照準マークが任意の特定の瞬間に照明される実施形態が、図７〜９に関連して説明されるであろう。図７は、図９に示されるような電子式弾丸降下補正照準マークを有する望遠ガンサイト２１０が取り付けられたライフル銃１２を示す。このスコープは、以下に説明される入力を受信し、複数の弾丸降下補正照準マーク２５６ａ〜ｘのうちのどれ（単数または複数）が起動されるべきかを制御する内部制御回路２７０を含む。以下に説明される制御ノブ２５０、２６０は、スコープ２１０の最上部表面に設けられる。
【００３２】
ダイヤル２５０が位置Ｎにセットされているとき、および／またはダイヤル２６０がＯＦＦ位置にあるとき、照準マーク２５６ａ〜ｘのどれも照明されない。ダイヤル２５０、２６０は、これらのダイヤルの位置に基づいて制御回路２７０に可変信号を出力する符号器または抵抗素子を組み込むことができる。
【００３３】
一実施形態によれば、各弾丸タイプに関して予め異なるセットの照準マークが記憶される。すなわち弾丸の各タイプのために、１セットの照準マーク（利用可能な照準マーク２５６ａ〜ｘから選択された）が異なる距離（例えば１００ヤード、２００ヤード、３００ヤード、４００ヤード）に関してセットされる。ユーザは、ｄ１、ｄ２、ｄ３またはｄ４のいずれかを選択するためにダイヤル２５０を使用することによって弾丸タイプを選択し、またユーザはダイヤル２６０を使用して標的までの距離を選択する（また、ダイヤル２６０は図８ではラベル付けされていないマークの各々に関して各選択可能な標的距離を識別するしるしを含むこともできる）。したがって、前にメモリに記憶されたデータ（このようなデータは工場において格納され得るか、あるいは前述の較正プロセスに基づいてユーザによって入力され得る）に基づいて、特定の弾丸タイプと標的までの距離とに関して複数の照準マーク２５６ａ〜ｘのうちの適当な照準マークが照明される。この実施形態は、標的までの距離が同じであっても、異なる弾丸タイプに関して異なる照準マークが照明されることを可能にする。したがって本実施形態は、ある特定の標的距離に関して単一の弾丸降下補正マークを与える既存のシステムより正確な照準を可能にする。
【００３４】
本発明はその好適な実施形態を参照しながら説明されてきたが、本発明がこれらの実施形態または構成に限定されないことは理解されるべきである。本発明は種々の修正と配置とをカバーするように意図されている。これらの例示的実施形態の種々の要素は種々の組合せおよび構成で示されているが、より多い、より少ない、または単に１つの要素を含む他の組合せおよび構成も本発明の精神と範囲の内に在る。
【図面の簡単な説明】
【００３５】
【図１】本発明の実施形態が適用され得る望遠照準器の側面図である。
【図２】図１に示された可変する倍率望遠照準器（ｐｏｗｅｒ  ｔｅｌｅｓｃｏｐｉｃ  ｓｉｇｈｔ）の内部構成要素の概略図である。
【図３】本発明の一実施形態による可動ＢＤＣ照準マークを有するガンサイト・レチクルの平面図である。
【図４】本発明の第２の実施形態による可動照準マークを有するガンサイト・レチクルの平面図である。
【図５】図１に示された望遠照準器の調整特徴要素を含む部分の詳細な斜視図である。
【図６】一実施形態による照準マーク調整機構の分解斜視図である。
【図７】電子的に実現された実施形態による望遠照準器の側面図である。
【図８】制御ダイヤルを示す図７の照準器の上面図である。
【図９】図７の実施形態のレチクルを示す図である。
【図１】
2009174845.tif 000003
【図２】
2009174845.tif 000004
【図３】
2009174845.tif 000005
【図４】
2009174845.tif 000006
【図５】
2009174845.tif 000007
【図６】
2009174845.tif 000008
【図７】
2009174845.tif 000009
【図８】
2009174845.tif 000010
【図９】
2009174845.tif 000011
【外国語明細書】
2009174845000001.pdf